(57)【要約】【課題】２以上の個別カードに関連する統合カードを処理する統合カード用端末装置であって、セキュリティを保ちつつ、簡便に使用できるものを提供すること。【解決手段】制御部２と読取部３とディスプレイ４とを備える端末装置１であって、ＩＤの記録された統合カードが読取られるとパスワード要否判定手段２１によってパスワード入力の要否を判定し、パスワード入力不要の場合及び正しいパスワードが入力された場合にＩＤに対応する２以上の個別カードのサービスへのリンクをディスプレイ４にアイコンとして表示する、統合カード用端末装置を提供する。パスワード要否判定手段２１が非常事態であるか否かを表す情報を受信し、非常事態である場合にはパスワード入力不要と判定し、非常事態である旨をディスプレイに表示することで住民サービスが提供される。【選択図】図１
2017016215.tif 000002
【特許請求の範囲】
【請求項１】
制御部と読取部とディスプレイとを備える端末装置であって、
前記制御部は、（１）前記読取部においてＩＤの記録された統合カードが読取られると、パスワード要否判定手段によってパスワード入力の要否を判定し、（２）パスワード入力不要の場合及び正しいパスワードが入力された場合に、前記ＩＤに対応する２以上の個別カードのサービスへのリンクを、前記ディスプレイにアイコンとして表示する、ことを特徴とする、統合カード用端末装置。
【請求項２】
前記パスワード要否判定手段は、非常事態であるか否かを表す情報を受信し、前記情報が非常事態であることを表す場合には、パスワード入力不要と判定することを特徴とする、請求項１に記載の統合カード用端末装置。
【請求項３】
前記制御部は、前記情報が非常事態であることを表す場合には、非常事態である旨を前記ディスプレイに表示することを特徴とする、請求項２に記載の統合カード用端末装置。
【請求項４】
前記統合カード用端末装置は、当該統合カード端末装置において読み取られかつ正しいパスワードが入力され統合カードのＩＤ及び読み取られた時刻を記憶し、
前記パスワード要否判定手段は、判定しようとする統合カードについて、直前に読み取られかつ正しいパスワードが入力された時刻からの経過時間が所定の時間以下である場合には、パスワード入力不要と判定することを特徴とする、請求項１〜３のいずれか一項に記載の統合カード用端末装置。
【請求項５】
前記制御部は、前記アイコンがタッチされた際に、パスワード入力の有無を前記リンクのリンク先に通知することを特徴とする、請求項１〜４のいずれか一項に記載の統合カード用端末装置。
【発明の詳細な説明】
【技術分野】
【０００１】
本発明は、２以上の個別カードに関連する統合カードを処理するための、統合カード用端末装置に関する。
【背景技術】
【０００２】
近年においては、商店、レンタルビデオ店、医院、スポーツクラブ、その他の多様な営業主体（以下「店舗等」と言う。）が、顧客１名につき1枚のカードを発行して顧客に貸与している。
【０００３】
顧客の立場で考えるに、多くの枚数のカードを持つこととなり、日常生活において持っている全てのカードを携帯することは困難である。そこで、１枚の統合カードによって複数のカードのサービスを提供することが提案されている。
【０００４】
例えば、特許文献1には、複数のカードの機能を統合してなる１枚のＩＣカードが開示されている。顧客は、１枚のＩＣカードのみを携帯して機能の統合された複数のカードの機能を利用することができる。
【０００５】
統合カードは、その統合カードを受け付ける端末装置を設置することが、利用促進に必須である。この点、限定された地域内の各所に端末装置を設置して、その地域の店舗等のカードを統合した統合カードを利用することが、以下の理由で好ましい活用法となる。地域活性化につながる。多くのカードを峻別することを不自由に感じる者（高齢者等）への行政サービスとなる。
【０００６】
ここで、地域活性化につながる行政サービスとして統合カード及び端末装置を活用することを考えると、多くの利用者が容易に利用できるようにするため、また、カード機能以外の地域情報の伝達媒体とするため、使用時に求めるパスワード入力を、できる限り省略、簡略化したい。
【先行技術文献】
【特許文献】
【０００７】
【特許文献１】特開２００４−３５５４８６号公報
【発明の概要】
【発明が解決しようとする課題】
【０００８】
本発明は、２以上の個別カードに関連する統合カードを処理する統合カード用端末装置であって、セキュリティを保ちつつ、簡便に使用できるものを提供することを課題とする。
【課題を解決するための手段】
【０００９】
本発明の統合カード用端末装置は、
制御部と読取部とディスプレイとを備える端末装置であって、  
前記制御部は、（１）前記読取部においてＩＤの記録された統合カードが読取られると、パスワード要否判定手段によってパスワード入力の要否を判定し、（２）パスワード入力不要の場合及び正しいパスワードが入力された場合に、前記ＩＤに対応する２以上の個別カードのサービスへのリンクを、前記ディスプレイにアイコンとして表示する、ことを特徴とする。
【００１０】
この特徴によれば、パスワード要否を判定して処理を行うことができる。
【００１１】
本発明の統合カード用端末装置は、
前記パスワード要否判定手段は、非常事態であるか否かを表す情報を受信し、前記情報が非常事態であることを表す場合には、パスワード入力不要と判定することを特徴とする。
【００１２】
この特徴によれば、非常事態の場合にはパスワードの入力を求めずに短時間の処理を行うことができる。
【００１３】
本発明の統合カード用端末装置は、
前記制御部は、前記情報が非常事態であることを表す場合には、非常事態である旨を前記ディスプレイに表示することを特徴とする。
【００１４】
この特徴によれば、非常事態の場合にはパスワードの入力を求めずに短時間の処理を行うことができる。
【００１５】
本発明の統合カード用端末装置は、
前記統合カード用端末装置は、当該統合カード端末装置において読み取られかつ正しいパスワードが入力され統合カードのＩＤ及び読み取られた時刻を記憶し、
前記パスワード要否判定手段は、判定しようとする統合カードについて、直前に読み取られかつ正しいパスワードが入力された時刻からの経過時間が所定の時間以下である場合には、パスワード入力不要と判定することを特徴とする。
【００１６】
この特徴によれば、継続的に同一端末を使用する利用者に対して、パスワード入力を省略した効率的なサービスを提供することができる。
【００１７】
本発明の統合カード用端末装置は、
前記制御部は、前記アイコンがタッチされた際に、パスワード入力の有無を前記リンクのリンク先に通知することを特徴とする。
【００１８】
この特徴によれば、高額の取引等についてはリンク先においてパスワードを入力させて、セキュリティを確保することができる。
【発明の効果】
【００１９】
本発明の統合カード用端末装置によれば、２以上の個別カードに関連する統合カードを処理する統合カード用端末装置であって、セキュリティを保ちつつ、簡便に使用できるものを提供することができる。
【図面の簡単な説明】
【００２０】
【図１】図１は、統合カード用端末装置の構成を示す図である。
【図２】図２は、統合カード用端末装置のハードウエアを示す図である。
【図３】図３は、パスワード入力画面の例を示す図である。
【図４】図４は、カード一覧表示の例を示す図である。
【図５】図５は、パスワード要否判定手段の処理を示すフローチャートである。
【発明を実施するための形態】
【００２１】
図１は、統合カード用端末装置の構成を示す図である。統合カード用端末装置１は、制御部２、読取部３及びタッチパネルディスプレイ４を備え、利用時刻情報２４を保持している。
【００２２】
統合カード用端末装置１は、ネットワークに接続され、ネットワークを介して個別カードサーバ６とのデータ送受信を行うことができる。個別カードサーバ６は、個別カードに係るサービスを実行するサーバであり、各々の個別カード毎に設けられている。ただし、１台の個別カードサーバ６が２以上の個別カードのサービスを行っても、以下に述べる本発明の実施形態は問題なく動作する。
【００２３】
ネットワークには、公的サーバ５も接続されている。公的サーバ５は、地域ごとの非常事態を表すものであり、例えば特別警報の発令状況を発信する気象庁のサーバが公的サーバ５である。
【００２４】
制御部２は、パスワード要否判定手段２１、表示手段２２及びナビゲーション手段２３を備えている。
【００２５】
読取部３は、顧客の所持する統合カードの情報を読取る。本実施例では、読取部３はＲＦＩＤリーダであるものとし、統合カードに記録されたＩＤを読取るものとする。
【００２６】
タッチパネルディスプレイ４は、情報を表示し、顧客による情報の選択（アイコンへのタッチ）を受信する。
【００２７】
図２は、統合カード用端末装置のハードウエアを示す図である。統合カード用端末装置１は、図示するように店頭や屋外への設置に適した形状であり、読取部３及びタッチパネルディスプレイ４が顧客の操作のために露出している。ＣＰＵを含む制御部２、及び、ファイル形式の利用時刻情報２４は、筐体内（非図示）に格納されている。
【００２８】
個別カードは、地域密着の店舗等によって発行されていることも多い。してみれば、統合カードを地域毎に発行し、その地域において利用者（顧客）が頻繁に訪れる公共性の高い場所や店舗等の店頭に統合カード用端末装置１を設置することで、多くの地域住民向けのサービスを提供することができる。
【００２９】
以下、顧客が統合カード用端末装置１を利用する場合の処理の例について説明する。
【００３０】
顧客は、統合カードを、読取部３にかざす。統合カードは、ＲＦＩＤチップを内蔵しており、ＲＦＩＤチップにはＩＤが記録されている。読取部３はＲＦＩＤリーダであり、記録されたＩＤを読み取って制御部２に送信する。
【００３１】
なお、統合カードがＲＦＩＤチップを内蔵し、読取部３がＲＦＩＤリーダであることは必ずしも必要ではない。統合カードに記録されたＩＤを統合カード用端末装置１が読取ることができればよく、統合カードにＩＤを磁気的に記録して統合カード用端末装置１に挿入された統合カードの磁気情報を読取る、統合カードにＩＤをバーコード印刷して統合カード用端末装置のバーコードリーダが読取る、その他適宜な方法によることができる。
【００３２】
ＩＤを受信した制御部２は、パスワード要否判定手段２１を起動する。パスワード要否判定手段２１はパスワードの要否を判定する。パスワード必要と判定された場合、制御部２は、図３に示すパスワード入力画面をタッチパネルディスプレイ４に表示して、パスワードの入力を求める。顧客は、パスワード入力キー４１を操作して、４桁の番号であるパスワードを入力する。なお、パスワードは４桁の番号でなく、任意の形式でよい。
【００３３】
パスワードは、暗号化されて統合カードに保持されている。制御部２は、統合カードからパスワードを読み取り、復号する。
【００３４】
パスワードが正しく入力されると、制御部２は、表示手段２２を起動し、図４に示すカード一覧表示をタッチパネルディスプレイ４に表示して、顧客に提供する。パスワード要否判定手段２１がパスワード不要と判定した場合も、同様に、図４に示すカード一覧表示をタッチパネルディスプレイ４に表示して、顧客に提供する。
【００３５】
複数の個別カード表示４２が提供される。図においては異なる図形でカードを区別しているが、実際には模様・色彩等が示され、より具体的である。個別カード表示４２をカードの画像とすれば、顧客の視覚的な理解が容易である。個別カード表示４２は、アイコンであり、顧客がタッチすることでその個別カードの個別カードサーバ６のホームページが表示されるものである。なお、予約日時、所持ポイント等の情報を追加で表示することもできる。
【００３６】
顧客がアイコンである個別カード別画像表示４１にタッチすると、制御部２は、ナビゲーション手段２３を起動する。ナビゲーション手段２３は、タッチされた個別カード別画像表示４１に係る個別カードの個別カードサーバ７のホームページに、ＵＲＬ等を用いて接続し、タッチパネルディスプレイ４に表示する。ナビゲーション手段２３の処理については、後述する。
【００３７】
以下、パスワード要否判定手段２１の処理について詳述する。図５は、パスワード要否判定手段の処理を示すフローチャートである。
【００３８】
パスワード要否判定手段２１は、利用時刻情報２４を参照し、最終利用時刻から現在時刻までの経過時間が所定の時間（Ｔ）以下である場合には、パスワード不要と判定する（ステップ２１ａ）。利用時刻情報２４は、統合カードのＩＤ毎に、パスワードが正しく入力された最終利用時刻を保持している。パスワード入力画面をタッチパネルディスプレイ４に表示してパスワードの入力を求めた際にパスワードが正しく入力されると、制御部２は、そのＩＤについて利用時刻情報２４をその時刻に更新する。
【００３９】
なお、利用時刻情報２４の更新は、パスワードが正しく入力された際に限らず、設計事項として定めてよい。例えば、パスワード入力をせずとも利用したこと（統合カードが読取部３にかざされたこと）で更新してもよい。
【００４０】
また、Ｔの値も設計事項として定めてよい。例えば、同一の顧客が処理を忘れたことに気づいて再利用する場合にパスワードを求めないこととしてＴ＝１５分とすることができる。あるいは、継続的に利用する顧客に対して継続利用ではパスワードを求めないこととしてＴ＝４８時間とすることもできる。（この場合には、パスワードを入力せずとも利用時刻情報２４を更新することが好ましい。）
【００４１】
パスワード要否判定手段２１は、非常事態であるか否かを判定する（ステップ２１ｂ）。例えば、気象庁のサーバにアクセスし、その統合カード用端末装置１が設置された地域に何らかの特別警報が発令されているか否かを判定する。非常事態である（特別警報が発令されている）場合には、パスワード入力不要と判定する。
【００４２】
以上、パスワード要否判定手段２１の処理について説明した。パスワード要否判定手段は、これら以外の判定を行ってもよい、例えば、同一の統合カード用端末装置１については期限を定めずに（Ｔ＝∞）パスワード入力不要とする、１の統合カード用端末装置の利用からＴの間は全ての統合カード用端末装置においてパスワード入力不要とする（サーバ等を用いて利用時刻情報２４を複数の統合カード用端末装置で共有すればよい）、その他管理者側の設定によりパスワード入力を不要とすることができる。
【００４３】
パスワード要否判定手段２１によって、非常事態であることが把握できる。そこで、制御部２は、非常事態である場合には、表示手段２２に、図４に示す非常事態表示４３を表示させることができる。なお、非常事態表示４３は、通常は表示されない。
【００４４】
以下、ナビゲーション手段２３の処理について詳述する。上述のように、パスワード入力がない可能性があり、セキュリティ上の対策をナビゲーション手段２３が分担する。顧客が個別カード表示４２にタッチすると、ナビゲーション手段２３が起動され、個別カードサーバ６へのアクセスが提供される。
【００４５】
ナビゲーション手段２３は、個別カードのホームページへのアクセスを提供するが、その際、パスワード入力の有無の情報を個別カードのホームページ（個別カードサーバ６）に送信する。例えばホームページのＵＲＬの後に、パスワード入力があれば”?PW=1”、なければ”?PW=0”と付することができる。合わせて、パスワード入力がない場合には、統合カードから暗号化されたパスワードを読み取り、復号せずに暗号化したままで個別カードサーバに送信することができる。
【００４６】
個別カードのホームページ（個別カードサーバ６）は、金銭の出し入れを伴う処理、その他のパスワードを必要とする処理を行う際、パスワード入力がない場合にパスワードの入力を求めることができる。個別カードに固有のパスワードを求めても、統合カードのパスワード（暗号化して送信されたものを個別カードのホームページが復号する）を求めてもよい。
【００４７】
また、ナビゲーション手段２３が、個別カードサーバ６へのアクセスを提供する前にパスワードの入力を求めてもよい。いかなる場合にパスワードの入力を求めるかについては、セキュリティの観点から自由に設計してよい。
【００４８】
以上のナビゲーション手段２３の処理により、十分なセキュリティを保つことができる。統合カード用端末装置１は個別カードサーバ６へのアクセスを提供し、パスワード入力を必要とするような処理は行わなくともよい。個別カードサーバ６において、各々の個別カードの管理者がパスワードを求める基準を自由に設定できる。
【００４９】
以上詳細に説明したように、本発明の統合カード用端末装置１によれば、セキュリティを保ちつつ、場合によってはパスワード入力を省略して簡便に使用できる統合カード用端末装置１を提供することができる。
【産業上の利用可能性】
【００５０】
セキュリティを保ちつつ、簡便に使用できる統合カード用端末装置である。多くの店舗等、商店街その他の店舗等集合体による利用が考えられる。特に、地域の店舗等を統合した住民サービスとしての利用が有効である。
【符号の説明】
【００５１】
１    統合カード用端末装置
２    制御部
２１  パスワード要否判定手段
２２  表示手段
２３  ナビゲーション手段
２４  利用時刻情報
３    読取部
４    タッチパネルディスプレイ
４１  パスワード入力キー
４２  個別カード表示
４３  非常事態表示
５    公的サーバ
６    個別カードサーバ
【図１】
2017016215.tif 000003
【図２】
2017016215.tif 000004
【図３】
2017016215.tif 000005
【図４】
2017016215.tif 000006
【図５】
2017016215.tif 000007